(57)【要約】【課題】  触媒による消臭・抗菌・防汚作用を密に働かせ、処理空間内の被処理物に対して効率のよい作用を施せるようにすること。【解決手段】  上面が開口した有底箱状の容器本体１２と、該容器本体１２内に設けられた処理空間１３を開閉可能に閉塞する蓋体１４とを有し、上記処理空間１３の内側面に、消臭抗菌作用を有する触媒からなる触媒層１５を設けるとともに、上記蓋体１４の閉塞時に上記処理空間１３の上面開口部の口縁部での雰囲気の流通を遮断するシール構造１６を、上記蓋体１４と容器本体１２との相互間に形成した消臭抗菌性容器１１。【選択図】    図４
2005289485.tif 000002
【特許請求の範囲】
【請求項１】
上面が開口した有底箱状の容器本体と、該容器本体内に設けられた処理空間を開閉可能に閉塞する蓋体とを有し、
上記処理空間の内側面に、消臭抗菌作用を有する触媒からなる触媒層を設けるとともに、
上記蓋体の閉塞時に上記処理空間の上面開口部の口縁部での雰囲気の流通を遮断するシール構造を、上記蓋体と容器本体との相互間に形成した
消臭殺菌性容器。
【請求項２】
前記触媒層が、光触媒、空気触媒又は電荷移動型自動酸化還元半導体触媒のうちの少なくともいずれか一種からなる
請求項１に記載の消臭抗菌性容器。
【請求項３】
前記触媒層で分解されたものに対して吸着作用を有する吸着材を、前記処理空間内に設けた
請求項１又は２に記載の消臭抗菌性容器。
【請求項４】
前記触媒層を、光触媒を用いて形成するとともに、
前記蓋体を、透光性を有する材料で形成し、
該蓋体に、前記処理空間に対する透光性を確保しつつも、処理空間を透視不可又は透視しにくくする遮蔽構造を設けた
請求項１から請求項３のうちのいずれか一項に記載の消臭抗菌性容器。
【請求項５】
前記処理空間を複数設けた
請求項１から請求項４のうちのいずれか一項に記載の消臭抗菌性容器。
【発明の詳細な説明】
【技術分野】
【０００１】
この発明は、収納された被収納物に対して自動的に消臭・抗菌・防汚等の作用を施せるような容器に関し、より詳しくは、触媒を用いた消臭抗菌性容器に関する。
【背景技術】
【０００２】
消臭抗菌作用を有する容器に類したものとして、下記特許文献１に開示されている消臭容器がある。
【０００３】
この消臭容器は、生ごみを収納する容器であって、容器内部の一部あるいは全部が紫外線を含む光線を透過させるガラスまたはプラスチック材質で出来ており、該容器内壁に光触媒塗料の塗膜を塗布した構成である。
【０００４】
この他にも、下記特許文献２に開示されている有底容器や特許文献３に開示されている自己清浄品がある。上記有底容器は、浴槽やクーラーボックスのような有底容器の外面や内面に光触媒の粉末粒子を備えた構成である。また上記自己清浄品は、特定の光触媒を備えた、食器、水槽等である。
【０００５】
これらは、光が当たることによって、光触媒の作用で悪臭成分等が分解されるというものであって、特許文献１の技術では、内部に収納したごみから発せられる臭い等を分解し、特許文献２や特許文献３の技術は、自らを清浄に保つというものである。
【０００６】
【特許文献１】特開２０００−１０９２０１号公報
【特許文献２】特許第２９９１０９６号公報
【特許文献３】特開平９−１９２４９６号公報
【発明の開示】
【発明が解決しようとする課題】
【０００７】
しかし、これらに開示されている発明には、開閉される容器の開口縁部を、雰囲気の流通不可に積極的にシールする構成は開示されていない。
【０００８】
単に容器に光触媒を備えただけであって、内部の雰囲気は、多かれ少なかれ外部に出る。
【０００９】
このため、内部では臭気の分解等が行われていても、内部の雰囲気を閉じ込めて集中的に分解を行うことができないので、内部の臭気等にもよるが、効果的な消臭等の効果が望めない場合がある。特に、内部に収納した被処理物に対して消臭抗菌等の処理を行おうとする場合には、良好な効果が期待できない。また、臭いが洩れるおそれもある。
【００１０】
そこでこの発明は、消臭・抗菌・防汚等の処理を行う処理空間を区切ることによって、触媒による作用を集中的に密に働かせ、処理空間内の被処理物に対して効率のよい作用を施せるようにすることを主たる課題とする。
【課題を解決するための手段】
【００１１】
そのための手段は、上面が開口した有底箱状の容器本体と、該容器本体内に設けられた処理空間を開閉可能に閉塞する蓋体とを有し、上記処理空間の内側面に、消臭抗菌作用を有する触媒からなる触媒層を設けるとともに、上記蓋体の閉塞時に上記処理空間の上面開口部の口縁部での空気の流通を遮断するシール構造を、上記蓋体と容器本体との相互間に形成した消臭抗菌性容器であることを特徴とする。
【００１２】
すなわち、容器本体と蓋体との間に形成したシール構造が、容器本体内の処理空間における上面開口部の口縁での雰囲気の流通を遮断するので、処理空間内の雰囲気は閉じ込められる。このため、処理空間内の雰囲気や処理空間内に収納された被処理物に対して、触媒層による作用が密に働く。また、雰囲気の洩れも防止できる。
【００１３】
上記被処理物としては、例えば入れ歯、医療用のガーゼ、歯ブラシ、剃刀、ブラシ・櫛、箸など、清潔に保つ必要のあるあらゆる物品が考えられる。
【００１４】
上記触媒層は、光触媒、空気触媒又は電荷移動型自動酸化還元半導体触媒のうちの少なくともいずれか一種で構成するとよい。
【００１５】
また上記触媒層で分解されたものに対して吸着作用を有する吸着材を、上記処理空間内に設けるもよい。吸着材としては、適宜のフィルタや活性炭等を採用できる。
【００１６】
上記触媒層を、光触媒を用いて形成した場合には、上記蓋体を、透光性を有する材料で形成し、該蓋体に、前記処理空間に対する透光性を確保しつつも、処理空間を透視不可又は透視しにくくする遮蔽構造を設けるとよい。
【００１７】
さらに、上記処理空間を複数設けることもできる。
【発明の効果】
【００１８】
以上のようにこの発明によれば、被処理物を収納する処理空間の上面開口部の口縁部を、シール構造がシールして処理空間内の雰囲気を閉じ込め、口縁部からは出さないようにするので、被処理物に対して触媒層の作用を密に働かせることができる。この結果、触媒層による消臭・抗菌・防汚等の効果を、積極的に作用させ、良好な効果をより短時間で得ることができる。
【００１９】
このため、例えば前記特許文献１に開示された収納したごみの臭いが洩れることを防ぐ容器などとは異なり、処理空間内に収納した被処理物に対して積極的に消臭・抗菌・防汚等の効果を施すことができる。
【００２０】
請求項２に係る発明のように、上記触媒層を、光触媒、空気触媒又は電荷移動型自動酸化還元半導体触媒のうちの少なくともいずれか一種で構成した消臭抗菌性容器では、それぞれの触媒に応じた条件で消臭・抗菌・防汚等の処理を施すことができる。複数種類の触媒を混在されれば、様々な条件で、光、空気、温度の条件のいずれかが欠けても作用を得られる。
【００２１】
請求項３に係る発明のように、上記触媒層で分解されたものに対して吸着作用を有する吸着材を、上記処理空間内に設けた消臭抗菌性容器では、分解された臭い分子や細菌等を吸着材が吸着してくれるので、触媒層による作用を高いレベルに維持でき、消臭・抗菌・防汚等の効果が高い。
【００２２】
請求項４に係る発明のように、上記触媒層を、光触媒を用いて形成するとともに、上記蓋体を、透光性を有する材料で形成し、該蓋体に、前記処理空間に対する透光性を確保しつつも、処理空間を透視不可又は透視しにくくする遮蔽構造を設けた消臭抗菌性容器は、被処理物を見せたくない場合、例えば被処理物が入れ歯等である場合に好適である。
【００２３】
請求項５に係る発明のように、上記処理空間を複数設けた消臭抗菌性容器では、例えば処理空間ごとに、触媒層を構成する触媒の種類を変えたり、複数種類の被処理物を処理したりすることができる。このため、例えば複数段階で処理を行ったり、複数の物品からなる一組の被処理物に対して同時に処理を行ったり、被処理物に適した処理が行える。
【発明を実施するための最良の形態】
【００２４】
この発明を実施するための一形態を、以下図面を用いて説明する。  
図１は、例えば入れ歯等の適宜の被処理物Ｘ（図７参照）を消臭抗菌等処理するための消臭抗菌性容器１１（以下、容器という）を示す斜視図、図２はその開放状態の斜視図である。
【００２５】
この容器１１は、上面が開口した有底箱状の容器本体１２と、該容器本体１２内に設けられた１つの処理空間１３を開放可能に閉塞する蓋体１４とからなる。
【００２６】
そして上記容器本体１２と蓋体１４の内側面、すなわち上記処理空間１３内の内側面に、消臭・抗菌・防汚作用を有する触媒からなる触媒層１５を、図３に示したように設けている。
【００２７】
また、処理空間１３の上面開口部の口縁部、すなわち容器本体１２の上端縁部１２ａと、蓋体１４における上記上端縁部１２ａに対向する対向部、すなわち外周下端縁部１４ａとの相互間には、該部分での雰囲気の流通を遮断するシール構造１６を形成している。図示例のシール構造１６は、容器本体１２側に形成した凹溝１６ａ、及び該凹溝１６ａに嵌め付けるパッキング１６ｂと、蓋体１４側に形成され、閉塞時に上記パッキング１６ｂに対して圧接する突条１６ｃとで構成している。
【００２８】
上記触媒層１５は、光触媒（酸化チタン、二酸化チタン、酸化亜鉛等）、空気触媒（リン酸チタニウム等）又は電荷移動型自動酸化還元半導体触媒を、単独で、あるいは組み合わせて形成される。触媒層１５の形成は、触媒を含んだ接着剤を塗布するなど、触媒に応じた適宜の方法で行う。
【００２９】
触媒層１５を光触媒で形成する場合には、触媒層１５に光が到達する必要があるので、図４に示したように、蓋体１４を透明又は半透明の、透光性を有する材料で形成し、処理空間１３内に紫外線が入射するように構成する。
【００３０】
この場合には、被処理物Ｘが入れ歯など、外部から見えるのが好ましくない物品である場合に、図５に示した如く、処理空間１３に対する透光性を確保しつつも処理空間１３を透視不可又は透視しにくくする遮蔽構造１７を蓋体１４設けるとよい。
【００３１】
図５に例示した遮蔽構造１７は、蓋体１４表面の適宜の凹凸模様で構成し、処理空間１３内に入射する光の一部を乱反射させて、内部を見えにくくしている。
【００３２】
なお、酸化チタンが無色透明ではなく、若干白色を呈するものであるので、蓋体１４の表面を梨地状に形成するなど、極簡単な加工でも透視しにくくすることができる。
【００３３】
この他、図６に示したように、容器本体１２を、透光性を有する材料で形成し、蓋体１４を、不透明の材料で形成するもよい。この場合には、容器本体１２に対して斜めに入射する光が、触媒層１５に作用を行わせる。なお、容器本体１２の底面に金属蒸着などにより光反射層１８を形成しておけば、入射した光を反射させて蓋体１４の内側面に形成した触媒層１５にも当てることができ、光触媒の作用をより促せる。
【００３４】
このような容器１１では、最も目立つ蓋体１４が不透明であるので、内部が見え難い上に、光の屈折作用もあって、容器本体１２に上述のような遮蔽構造を設けずとも、斜め上からは、内部はほとんど見えない。
【００３５】
触媒層１５を空気触媒や電荷移動型自動酸化還元半導体触媒で形成した場合には、触媒の作用に光は不要であるので、容器１１の一部や全部を透明又は半透明に形成せずとも、蓋体１４を閉じた状態で、所望の作用が期待できる。
【００３６】
以上のように構成した容器では、図７に示したように使用する。なお、被処理物Ｘは、入れ歯等の水（湯も含む）に浸して洗浄する物品の例である場合を示す。
【００３７】
すなわち、容器１１の蓋体１４を開けて水１９を張り、被処理物Ｘを浸す。このとき、例えば檜オイルや竹搾液、木搾液、カテキン等の各種エキスなどの、防臭・抗菌等の作用のある適宜の添加剤２０を加えるとよい。蓋体１４を閉じることで、容器１１の処理空間１３は、容器本体１２と蓋体１４との相互間に設けたシール構造１６により密閉される。
【００３８】
そして、触媒層１５が光触媒からなる場合には、密閉された処理空間１３に光が入ることで、消臭・抗菌・防汚等の触媒による処理が施される。このとき処理空間１３内に張った水１９が媒介となって、被処理物Ｘの隅々までその全体に処理が施される。処理空間１３密閉された空間であるので、被処理物Ｘに対する作用は、濃密に行える。また、処理空間１３内の水や雰囲気の洩れもない。
【００３９】
触媒層１５が空気触媒からなる場合には、密閉された処理空間１３内に存在する空気や水１９のなかの酸素や水分が、触媒による消臭・抗菌・防汚等の処理を行わせる。そして、この場合も、処理空間１３内に張った水１９が媒介となって、被処理物Ｘの隅々までその全体に処理が施されるとともに、その作用は、濃密で、処理空間１３内の水１９や雰囲気の洩れもない。
【００４０】
触媒層１５が電荷移動型自動酸化還元半導体触媒からなる場合には、密閉された処理空間１３の温度が、触媒による消臭・抗菌・防汚等の作用を行わせる。この場合も上記２例の場合と同様に、処理空間１３内に張った水１９が媒介となって、被処理物Ｘの隅々までその全体に処理が施されるとともに、その作用は、濃密で、処理空間１３内の水１９や雰囲気の洩れもない。
【００４１】
上記容器１１によれば、上述のような作用がなされるので、触媒層１５による消臭・抗菌・防汚等の効果を、積極的に作用させ、良好な効果をより短時間で得ることができる。つまり、処理空間１３内に収納した被処理物Ｘに対して積極的に、集中して消臭・抗菌・防汚等の作用施すことができる。
【００４２】
特に被処理物Ｘが、例えば入れ歯のように変色が好ましくない物品の場合には、積極的な防汚作用により、その変色が防止でき、当初のきれいな色を保つことができるという効果も有する。
【００４３】
また、シール構造１６により処理空間１３を密閉するので、媒体としての水１９を処理空間１３内に入れて持ち歩いても、また洗面台等から落としたりしても、水がこぼれることはなく、入れ歯の消臭抗菌用に便利であるという効果も有する。
【００４４】
さらに、容器１１を、理髪店における剃刀を保管する容器や、公衆浴場等におけるブラシや櫛を収納する容器として使用すれば、これまでは紫外線を用いて行っていた消毒を、電力を必要とせずに行える。このため、ランニングコストを削減できる効果も有する。
【００４５】
さらにまた、処理空間１３内は触媒層１５の存在のため、きれいに保ちえて、洗浄が簡単に行える。
【００４６】
以下、この発明を実施するためのその他の形態を、図８〜図１３を用いて説明する。
【００４７】
なお、上述の構成と同一又は類似する部位については、上述の構成と同一の符号を付して、その詳しい説明を省略する。
【００４８】
図８に示した容器１１は、処理空間１３内に、触媒層１５の働きで分解された臭い分子や細菌等を吸着する吸着材２１を設けたものである。すなわち、容器本体１２の内底面に、枠状の突縁２２を形成してその内側に凹部２３を設け、板状の吸着材２１を着脱可能に取付けられるようにしている。
【００４９】
吸着材２１には、不織布等からなるフィルタ、活性炭等を含んだフィルタ、活性炭や木炭、竹炭そのものなどを使用できる。
【００５０】
このように内底面に吸着材２１を設けた容器１１は、上述例のように水１９を張って使用する場合に好適である。なお、上記突縁２２や凹部２３を形成せずに、吸着材２１を単に入れるだけでもよい。
【００５１】
触媒層１５の作用で分解されたものは、吸着材２１で順次吸着されるので、処理空間１３内には、水を張って使用したときには水の中にも、分解されたものが存在しない状態となり、触媒層１５による作用を効率よく得ることができる。このため、消臭抗菌等の効果をより一層高めることができる。
【００５２】
図９に示した容器１１も、処理空間１３内に、触媒層１５の働きで分解された臭い分子や細菌等を吸着する吸着材２１を設けたものであって、この場合には、蓋体１４の天井面に、シート状の吸着材２１を貼り付けている。図中２４は、粘着剤層である。  
この場合も同様に、分解されたものが順次吸着されるので、触媒層１５による作用の効率化を図り、消臭抗菌等の効果をより一層高めることができる。
【００５３】
図１０に示した容器１１は、内部に複数、すなわち大小２個の空間を有したものである。すなわち、容器本体１２と蓋体１４とにそれぞれ仕切り１２ｂ，１４ｂを設け、これら仕切り１２ｂ，１４ｂにも、上述のシール構造１６と同一のシール構造１６を形成している。
【００５４】
そして、図１１に断面図で示したように、大小２個の空間の内側面には触媒層１５を形成して、双方を処理空間１３，１３に設定している。
【００５５】
このような容器１１では、例えば入れ歯のための消臭抗菌用の容器１１とする場合、大きい方の処理空間１３に被処理物Ｘとしての入れ歯を水とともに入れ、小さい方の処理空間１３に被処理物Ｘしてとして、入れ歯を洗浄するときに使用するブラシを入れる。それぞれの被処理物Ｘが各処理空間１３，１３内で消臭抗菌等処理される。
【００５６】
このように構成した容器１１は、１つのセットとして扱われる物品の処理に好適である。
【００５７】
なお、処理する被処理物Ｘに応じて、触媒層１５の種類を変更するもよい。そして光触媒からなる触媒層１５を設ける処理空間１３を囲む部分には、透光性を有する材料で、紫外線を入射できる部分を適宜形成する。
【００５８】
図１２に示した容器１１は、上記例と同様に、内部に大小２個の空間を有し、それらの仕切り１２ｂ，１４ｂに上述のシール構造１６と同一のシール構造１６を形成したものであるが、一方の空間のみに触媒層１５を形成して、１個の処理空間１３と、１個の収納空間２５を設けたものである。
【００５９】
このように構成した容器１１でも、１つのセットとして扱われる物品の処理に好適である。
【００６０】
図１３に示した容器１１も、上記２つの例と同様に、内部に大小２個の空間を有し、それらの仕切り１２ｂ，１４ｂに上述のシール構造と同一のシール構造１６を形成したものであり、この場合には双方の空間に触媒層１５，１５を形成して、２個の処理空間１３，１３を設けたものである。
【００６１】
そして、大きい方の処理空間１３には、光触媒及び／又は電荷移動型自動酸化還元半導体触媒からなる触媒層１５を設け、小さいほうの処理空間１３には、空気触媒からなる触媒層１５を設けて、該小さい方の処理空間１３を形成する壁面に、内外に貫通する通気孔２６を形成している。この通気孔２６は、空気触媒に消臭抗菌等の作用をさせるのに空気を供給するためのもので、処理空間１３の上面開口部を開放した時よりも小で、密閉した時よりも大となる、適宜の通気量が得られる大きさ、数で形成される。
【００６２】
なお、図示例では、上述のシール構造１６と同一のシール構造１６は大きい方の処理空間１３を囲む部位のみに形成し、その他の部位については、パッキング１６ｂを用いない、噛合する構造からなるシール構造１６を形成している。
【００６３】
このように構成した容器１１では、例えば入れ歯とその洗浄に用いるブラシのようにセットとして扱われる物品の処理に好適であって、大きい方の処理空間１３には、水を張って入れ歯を入れ、小さい方の処理空間１３には、水を張らずにブラシを入れる、というように、処理に際して水を必要としない被処理物Ｘを入れる部分に、空気触媒の場合に在ると好ましい通気孔２６を形成するもよい。上述のように通気孔２６の大きさや数を適宜設定することで、処理空間１３内の雰囲気を区切って閉じ込めることが可能で、被処理物Ｘに対する作用を集中して効率よく施せる。
【００６４】
図２に示したような処理空間１３が１つの容器１１においても同様で、処理に水が必要でない被処理物、例えば剃刀、ブラシ・櫛、ガーゼ等の物品の処理に用いる容器であって、特に触媒層１５に空気触媒を用いる場合には、通気孔２６を形成するもよい。
【００６５】
この発明の構成と、上記実施するための形態の構成との対応において、  
この発明における処理空間の上面開口部の口縁部は、実施するための形態の構成における容器本体１２の上端縁部１２ａに対応するも、  
以上の説明は、この発明を実施するための一形態であって、この発明は、上記構成のみに限定されることはなく、上記以外にも、様々な形態で実施され得る。
【００６６】
例えば上記遮蔽構造は、色彩で構成するも、紫外線透過フィルムや偏光フィルム等の貼り付けで構成するもよい。
【図面の簡単な説明】
【００６７】
【図１】消臭抗菌性容器の斜視図。
【図２】消臭抗菌性容器の開蓋状態の斜視図。
【図３】消臭抗菌性容器の断面図。
【図４】消臭抗菌性容器の断面図。
【図５】消臭抗菌性容器の斜視図。
【図６】消臭抗菌性容器の断面図。
【図７】使用状態の断面図。
【図８】他の例に係る消臭抗菌性容器の断面図。
【図９】他の例に係る消臭抗菌性容器の断面図。
【図１０】他の例に係る消臭抗菌性容器の開蓋状態の斜視図。
【図１１】他の例に係る消臭抗菌性容器の断面図。
【図１２】他の例に係る消臭抗菌性容器の断面図。
【図１３】他の例に係る消臭抗菌性容器の断面図。
【符号の説明】
【００６８】
１１…消臭抗菌性容器
１２…容器本体
１２ａ…上端縁部
１３…処理空間
１４…蓋体
１４ａ…外周下端縁部
１５…触媒層
１６…シール構造
１７…遮蔽構造
２１…吸着材
【図１】
2005289485.tif 000003
【図２】
2005289485.tif 000004
【図３】
2005289485.tif 000005
【図４】
2005289485.tif 000006
【図５】
2005289485.tif 000007
【図６】
2005289485.tif 000008
【図７】
2005289485.tif 000009
【図８】
2005289485.tif 000010
【図９】
2005289485.tif 000011
【図１０】
2005289485.tif 000012
【図１１】
2005289485.tif 000013
【図１２】
2005289485.tif 000014
【図１３】
2005289485.tif 000015